(57)【要約】【課題】自在に造形して内容物を保護し、且つ美観を具えるエアークッション片の空気柱による緩衝構造を提供する。      【解決手段】エアークッション片の空気柱１による緩衝構造は、複数の隣合う連結した空気柱１で、その空気柱１には空気充填/逆止バルブ２が設置され、独立した空気充填空間を形成する。この空気柱１上に熱圧により、複数の折曲点４を設置し、エアークッション片を９０度、１８０度に折り曲げる。この折曲点４を連接させて３６０度に曲げて、エアークッション片を連続した上下、左右の緩衝壁を形成し、外箱の内クッションとする。空気柱１の幅及び外形変化により、空気充填後の緩衝壁は平らもしくは凸凹の内壁になり、緩衝機能を高める。更にマチ部位５の形成、二空間を形成によって、より効果を高める。【選択図】図１
0003114737.tif 000002
【実用新案登録請求の範囲】
【請求項１】
複数の空気柱を隣り合わせて連結した空気柱片のエアークッション片の空気柱による緩衝構造において、
各空気柱には空気充填/逆止めバルブが設置され、更に空気柱には上下片を連結する折曲点が成形され、折り曲げて緩衝壁とすることを特徴とするエアークッション片の空気柱による緩衝構造。
【請求項２】
前記各空気柱は、長さが同じ、もしくは異なるもしくはその混合であることを特徴とする請求項１記載のエアークッション片の空気柱による緩衝構造。
【請求項３】
前記各空気柱は、空気充填もしくは空気充填なしを選択することを特徴とする請求項１記載のエアークッション片の空気柱による緩衝構造。
【請求項４】
前記各空気柱は、幅が同じ、もしくは異なる、もしくはその混合であることを特徴とする請求項１記載のエアークッション片の空気柱による緩衝構造。
【請求項５】
前記各空気柱は、二列の折曲点を具え、且つその二列の折曲点間が短いマチ部位を形成し、壁面を補強することを特徴とする請求項１記載のエアークッション片の空気柱による緩衝構造。
【請求項６】
前記エアークッション片は、切線を設置し、切り離して分離し、容器形状を形成することを特徴とする請求項１記載のエアークッション片の空気柱による緩衝構造。
【請求項７】
前記折曲点は、円形、正方形、三角形、楕円形及びその他不規則形状であることを特徴とする請求項１記載のエアークッション片の空気柱による緩衝構造。
【請求項８】
前記各空気柱の折曲点は、二個もしくはそれ以上設置することを特徴とする請求項１記載のエアークッション片の空気柱による緩衝構造。
【請求項９】
前記空気柱は、直線もしくは曲線もしくはその混合であることを特徴とする請求項１記載のエアークッション片の空気柱による緩衝構造。
【請求項１０】
前記折曲点は、配列箇所を切り取るための切線とすることを特徴とする請求項１記載のエアークッション片の空気柱による緩衝構造。
【考案の詳細な説明】
【技術分野】
【０００１】
本考案は、エアークッション片の空気柱による緩衝構造に関するもので、自在に造形して内容物を保護し、且つ美観を具えるものである。
【背景技術】
【０００２】
包装材は数々の種類があるが、包装の主な目的は美観の他に、商品に瑕がつかないように保護することである。包装材は、布、紙、スポンジ、発泡スチロール等があり、基本的に緩衝機能を具えるが、包装材は使用後の環境問題がある。
【０００３】
近年、低密度のポリエチレンを使って、薄膜で逆止め空気バルブ熱圧を空気柱にし、空気を詰めたものを「エアークッション」という。台湾の特許（特許文献１、特許文献２）はエアークッション及び設備記述に関するものである。
【０００４】
また、下述の中国の特許（特許文献３）は、複数の相互に通じない空気柱によってエアークッションが形成され、扇形もしくは長方体が使いやすい。不規則形状や正方体やその他の形状は左右の角が尖っているため、空間を節約することができず、反対に体積を増やしてしまう。また美観も良くない。
【特許文献１】台湾  特許登録第Ｍ２４６３１１７号「気体包装袋」
【特許文献２】台湾  特許申請案第０９３２０６６１７号「気体包装袋の製造装置」
【特許文献３】中国  ＺＬ２００４２００２４０２８号「充填エアークッション袋」
【考案の開示】
【考案が解決しようとする課題】
【０００５】
解決しようとする問題点は、「袋」の形体では制限があり、美観も良くない点である。
【課題を解決するための手段】
【０００６】
本考案の請求項１に記載のエアークッション片の空気柱による緩衝構造は、複数の空気柱を隣り合わせて連結した空気柱片のエアークッション片の空気柱による緩衝構造において、各空気柱には空気充填/逆止めバルブが設置され、更に空気柱には上下片を連結する折曲点が成形され、折り曲げて緩衝壁とすることを特徴とする。
【０００７】
請求項２に記載のエアークッション片の空気柱による緩衝構造は、請求項１の場合において、前記各空気柱は、長さが同じ、もしくは異なるもしくはその混合であることを特徴とする。
【０００８】
請求項３に記載のエアークッション片の空気柱による緩衝構造は、請求項１の場合において、前記各空気柱は、空気充填もしくは空気充填なしを選択することを特徴とする。
【０００９】
請求項４に記載のエアークッション片の空気柱による緩衝構造は、請求項１の場合において、前記各空気柱は、幅が同じ、もしくは異なる、もしくはその混合であることを特徴とする。
【００１０】
請求項５に記載のエアークッション片の空気柱による緩衝構造は、請求項１の場合において、前記各空気柱は、二列の折曲点を具え、且つその二列の折曲点間が短いマチ部位を形成し、壁面を補強することを特徴とする。
【００１１】
請求項６に記載のエアークッション片の空気柱による緩衝構造は、請求項１の場合において、前記エアークッション片は、切線を設置し、切り離して分離し、容器形状を形成することを特徴とする。
【００１２】
請求項７に記載のエアークッション片の空気柱による緩衝構造は、請求項１の場合において、前記折曲点は、円形、正方形、三角形、楕円形及びその他不規則形状であることを特徴とする。
【００１３】
請求項８に記載のエアークッション片の空気柱による緩衝構造は、請求項１の場合において、前記各空気柱の折曲点は、二個もしくはそれ以上設置することを特徴とする。
【００１４】
請求項９に記載のエアークッション片の空気柱による緩衝構造は、請求項１の場合において、前記空気柱は、直線もしくは曲線もしくはその混合であることを特徴とする。
【００１５】
請求項１０に記載のエアークッション片の空気柱による緩衝構造は、請求項１の場合において、前記折曲点は、配列箇所を切り取るための切線とすることを特徴とする。
【考案の効果】
【００１６】
本考案のエアークッション片の空気柱による緩衝構造は、下述の利点がある。
折曲点の利用。空気柱で別の垂直面を形成し、保護機能高める。
延長による多種の変化。マチ部位を形成することによって、一枚の空気片で補強壁が形成され、今までの空気クッション袋を変革する。
切線の使用。保護する形状によって、六面が成形され、公知の定位困難を改善する。
折曲点の成形が簡易。異なる造形にするため、円点、正方形点、三角点、楕円形点等にする。単一の空気柱内に単一もしくは二列以上の折曲点列を設置し、折り曲げ位置を調整する。
サイズを固定する時、大量生産が可能で、必要なサイズに裁断し、保管、搬送しやすい。
【考案を実施するための最良の形態】
【００１７】
本考案の緩衝容器は、複数の隣合う空気柱１から構成される。また各空気柱１には基本的に空気充填/逆止バルブ２が設置され、この空気充填/逆止バルブ２は公知の技術であり、空気充填後、自動的に空気を止めて外に漏れるのを防止する。各空気柱１の形状は、直線状もしくは円弧形もしくは菱形もしくは各種変形またはそれらの混合である。更に空気柱のサイズは、空気充填後の外径が同じか、もしくは異なり、この空気柱１の一面が緩衝壁となる。
【００１８】
図２、３に示すとおり、二面の緩衝壁を成形するため、空気柱１の適する部位に折曲点４を設置する。この折曲点４は一列もしくはそれ以上設置され、その形状は円形ないしその他の形状である。この折曲点４は熱圧方式での成形とは限らず、熱圧後の折曲点４もしくは空気柱折点によって９０度折曲し、側面壁を形成する。
【００１９】
図４に示すとおり、空気柱１の両側には均一に折曲点４が設置され、水平緩衝面及び両緩衝壁を形成する。また図５に示すとおり、両緩衝壁を向かい合って組み立てた時、左右上下どちらにも緩衝壁がある内部防護空間を形成し、物品を納置する。細長い空気柱1から形成されたエアークッション片を四段に分け、または更に多い折曲点４を成形し、一端が開放された筒型筐体を形成する。
【００２０】
補強を必要とする壁面の場合、側面の補強について述べると、図６、７に示すとおり、折曲点４の使用によって小さな小段であるマチ部位５を成形し、二回の折り曲げによって壁面を補強する。
【００２１】
図８に示すとおり、本考案の折曲点４の他に、更に切線６を設置する。これによって緩衝容器が形成される。本考案に必要なサイズに従い、折曲点４及び折線６を設置して、折畳式六面緩衝容器が形成される。切線６が予め設置されているので、外すときにも便利である。図９に示すとおり、物品を間に納置したい時、このようにして容器を形成することにより、内筐となり、補強を必要とする壁面に対して折曲点４を更に設置して、補強壁を形成する。
【００２２】
折曲点４を運用することによって、造形上の問題を改善し、カメラ器材、その他の部品を保護する。他に図１０に示すとおり、上蓋を設置することによって、仕切られた二空間が形成され、そこに保護製品を入れる。上方の凹んだ空間には、例として説明書もしくは部品等を入れれば、内容物が混乱することなく、設置される。
【図面の簡単な説明】
【００２３】
【図１】本考案の空気柱一枚分の指示図である。
【図２】本考案に折曲点を設置した指示図である。
【図３】本考案の折曲点で折り曲げた指示図である。
【図４】本考案の三面緩衝壁形成指示図である。
【図５】本考案を二枚使用して三面緩衝壁を形成した指示図である。
【図６】本考案に二列の折曲点を設置した指示図である。
【図７】本考案の二列の折曲点で折り曲げた指示図である。
【図８】本考案に切線を設置した指示図である。
【図９】本考案に設置した切線を容器形状を成形した指示図である。
【図１０】本考案で二つの緩衝空間を形成する指示図である。
【符号の説明】
【００２４】
１        空気柱
２        空気充填/逆止バルブ
３        止線
４        折曲点
５        マチ部位
６        切線
【図１】
0003114737.tif 000003
【図２】
0003114737.tif 000004
【図３】
0003114737.tif 000005
【図４】
0003114737.tif 000006
【図５】
0003114737.tif 000007
【図６】
0003114737.tif 000008
【図７】
0003114737.tif 000009
【図８】
0003114737.tif 000010
【図９】
0003114737.tif 000011
【図１０】
0003114737.tif 000012